(57)【特許請求の範囲】
【請求項１】
プレス機械におけるラム駆動用油圧シリンダとオイルタンクを連通する戻り回路の途中に配設してなるピストン型アキュームレータにおいて、
移動可能なピストンを備えたアキュームレータ本体を設け、このアキュームレータ本体内におけるピストンの一方側に上記戻り回路に連通した戻り油吸収用油圧室を設け、上記アキュームレータ本体に上記ピストンにおけるピストンロッドを移動可能に支持するガイドブロックを設け、上記ピストンを一方向へ付勢するスプリングを設け、上記ガイドブロックの一部に衝撃吸収用油圧室を設け、この衝撃吸収用油圧室における一端側にオリフィス部を設け、このオリフィス部は、上記ピストンが他方向の移動することにより上記ピストンにおける上記ピストンロッドによって閉鎖されるように構成され、上記ガイドブロックに上記オリフィス部に連通した連絡ポートを設け、この連絡ポートと衝撃吸収用油圧室の他端側を連絡回路により連通してなることを特徴とするピストン型アキュームレータ。
【請求項２】
プレス機械におけるラム駆動用油圧シリンダとオイルタンクを連通する戻り回路の途中に配設してなるピストン型アキュームレータにおいて、
移動可能なピストンを備えたアキュームレータ本体を設け、このアキュームレータ本体内におけるピストンの一方側に上記戻り回路に連通した戻り油吸収用油圧室を設け、上記アキュームレータ本体に上記ピストンにおけるピストンロッドを移動可能に支持するガイドブロックを設け、アキュームレータ本体内にピストンの一方向の移動を規制するストッパ部を設け、通常状態においてピストンの一部がこのストッパ部に当接するように、ピストンを一方向へ付勢するスプリングを設け、上記ガイドブロックの一部に衝撃吸収用油圧室を設け、この衝撃吸収用油圧室の一端部にオリフィス部を設け、このオリフィス部は、上記ピストンが他方向の移動することにより上記ピストンにおける上記ピストンロッドによって閉鎖されるように構成され、上記ガイドブロックに上記オリフィス部に連通した連絡ポートを設け、このオリフィス部と衝撃吸収用油圧室の他端側を連絡回路により連通してなることを特徴とするピストン型アキュームレータ。
【請求項３】
前記連絡回路は、少なくとも一部に伸縮可能なゴムホースを備えてなることを特徴とする請求項１又は請求項２に記載のピストン型アキュームレータ。
【発明の詳細な説明】
【０００１】
【産業上の利用分野】
本発明は、例えばパンチプレスのごときプレス機械におけるラム駆動用油圧シリンダとオイルタンクを連通する戻り回路の途中に配設した脈動抑制用のピストン型アキュームレータに関する。
【０００２】
【従来の技術】
プレス機械の一例としてのパンチプレスにおけるラム駆動用油圧シリンダとオイルタンクを連通する戻り回路の途中に配設した脈動抑制用の従来のピストン型アキュームレータについて簡単に説明する。上記ピストン型アキュームレータはピストンを備えたアキュームレータ本体をベースにしており、このアキュームレータ本体内におけるピストンの一方側には戻り回路に連通した戻り油吸収用油圧室が設けてある。また、アキュームレータ本体におけるピストンの他方側には、ピストンを一方向へ付勢可能なスプリングが設けてあるか、またはガスを充填したガス室が設けてある。
【０００３】
したがって、ラム駆動用油圧シリンダを適宜に作動させると、ラム駆動用油圧シリンダのストロークに対応した圧力の戻り油がラム駆動用油圧シリンダから戻り回路を通ってオイルタンク内へ回収される。このとき、戻り油の一部が戻り油吸収用油圧室に流れ込んで、ピストンがスプリングの付勢力又はガス圧に抗して他方向へ移動することにより、戻り油を減圧せしめて、戻り回路における戻り油の脈動を抑制する。
【０００４】
【発明が解決しようとする課題】
しかし、アキュームレータ本体内におけるピストンの他方側にガス室に設けた場合には、ピストン型アキュームレータの使用回数、使用時間等に対応してガス室内のガスが少なくなり、ピストン型アキュームレータのメンテナンスを度々行う必要があり、一連のプレス加工作業が煩雑化するという問題があった。
【０００５】
一方、アキュームレータ本体内におけるピストンの他方側にガス室の代わりにスプリングを設けた場合には、ガスを用いていないため、上記問題は生じないものの、以下の問題が生じる。即ち、スプリングのスプリング定数が大きい場合においては、高圧の戻り油が戻り油吸収油圧室に流込んでも、ピストンがスプリングの付勢力に抗して他方向へ移動することにより、戻り油は減圧せしめられ、戻り回路における戻り油の脈動を抑制できるが、低圧の戻り油が戻り油吸収油圧室に流れ込んでも、ピストンがスプリングの付勢力に抗して他方向へ移動しないため、戻り回路における戻り油の脈動を抑制できないという問題があった。反対に、スプリングのスプリング定数が小さい場合においては、低圧の戻り油が戻り油吸収油圧室に流込むと、ピストンがスプリングの付勢力に抗して他方向へ移動することにより、戻り回路における戻り油の脈動を抑制できるが、高圧の戻り油が戻り油吸収油圧室に流込むと、ピストンが急激に大きく他方向へ移動するため、ピストン型アキュームレータ自体に大きな衝撃を生じて、ピストン型アキュームレータの損傷を招くという問題があった。
【０００６】
【課題を解決するための手段】
前述のごとき従来の問題点を解決するため、本発明においては、第１の手段として、プレス機械におけるラム駆動用油圧シリンダとオイルタンクを連通する戻り回路の途中に配設してなるピストン型アキュームレータにおいて、
移動可能なピストンを備えたアキュームレータ本体を設け、このアキュームレータ本体内におけるピストンの一方側に上記戻り回路に連通した戻り油吸収用油圧室を設け、上記アキュームレータ本体に上記ピストンにおけるピストンロッドを移動可能に支持するガイドブロックを設け、上記ピストンを一方向へ付勢するスプリングを設け、上記ガイドブロックの一部に衝撃吸収用油圧室を設け、この衝撃吸収用油圧室における一端側にオリフィス部を設け、このオリフィス部は、上記ピストンが他方向の移動することにより上記ピストンにおける上記ピストンロッドによって閉鎖されるように構成され、上記ガイドブロックに上記オリフィス部に連通した連絡ポートを設け、この連絡ポートと衝撃吸収用油圧室の他端側を連絡回路により連通してなることを特徴とする。
【０００７】
第２の手段として、プレス機械におけるラム駆動用油圧シリンダとオイルタンクを連通する戻り回路の途中に配設してなるピストン型アキュームレータにおいて、
移動可能なピストンを備えたアキュームレータ本体を設け、このアキュームレータ本体内におけるピストンの一方側に上記戻り回路に連通した戻り油吸収用油圧室を設け、上記アキュームレータ本体に上記ピストンにおけるピストンロッドを移動可能に支持するガイドブロックを設け、アキュームレータ本体内にピストンの一方向の移動を規制するストッパ部を設け、通常状態においてピストンの一部がこのストッパ部に当接するように、ピストンを一方向へ付勢するスプリングを設け、上記ガイドブロックの一部に衝撃吸収用油圧室を設け、この衝撃吸収用油圧室の一端部にオリフィス部を設け、このオリフィス部は、上記ピストンが他方向の移動することにより上記ピストンにおける上記ピストンロッドによって閉鎖されるように構成され、上記ガイドブロックに上記オリフィス部に連通した連絡ポートを設け、このオリフィス部と衝撃吸収用油圧室の他端側を連絡回路により連通してなることを特徴とする。
【０００８】
第３の手段として、第１又は第２の手段の構成要件の他に、前記連絡回路は、少なくとも一部に伸縮可能なゴムホースを備えてなることを特徴とする。
【０００９】
【作用】
前記の構成において、ラム駆動用油圧シリンダを適宜に作動させると、ラム駆動用油圧シリンダのストロークに対応した圧力の戻り油が、ラム駆動用油圧シリンダから戻り回路を通ってオイルタンク内へ回収される。
【００１０】
上記作用の下で、戻り油が低圧及び高圧の場合にあっては、戻り油の一部が戻り油吸収用油圧室に流れ込んで、ピストンがスプリングの付勢力に抗して微小量だけ他方向へ移動することにより、戻り油は減圧せしめられ、戻り回路における戻り油の脈動を抑制できる。このとき、ピストンにおけるピストンロッドが衝撃吸収用油圧室の油を他方向へ押出すことができる一方、連絡ポート内の油の一部はオリフィス部から衝撃吸収用油圧室に噴射されることにより、衝撃吸収用油圧室においてオイルバランスを奏させて、ピストンの移動速度を遅くすることができる。換言すれば、スプリングによる付勢力と油のダンピング作用を併用して、戻り回路における戻り油の脈動を抑制できる。なお、戻り油吸収用油圧室に流れ込んだ戻り油は、ピストンがスプリングの付勢力によって一方向へ移動することにより、戻り油吸収用油圧室から戻り回路を通ってオイルタンク内へ回収される。また、第３の手段によれば、ピストンが微小量だけ他方向へ移動する際に生じる衝撃吸収用油圧室の容積変化はゴムホースの伸びによって吸収される。
【００１１】
また、戻り油がより高圧の場合にあっても、同様に、スプリングによる付勢力と油のダンピング作用を併用して、戻り回路における戻り油の脈動を抑制できる一方、ピストンにおけるピストンロッドの他端部がオリフィスを閉鎖すると、ピストンが他方向へ移動しなくなり、結果としてピストンがスプリングの付勢力に抗して大きく他方向へ移動することはない。
【００１２】
【実施例】
以下、本実施例に係る発明について図面を参照して説明する。
【００１３】
図１を参照するに、本実施例に係るピストン型アキュームレータ１は、パンチプレスのラム駆動用油圧シリンダ３とオイルタンク５を連通する戻り回路７の途中に配設してあり、戻り回路７における戻り油の脈動を抑制する作用を有する。
上記ピストン型アキュームレータ１は上下方向（図１において上下方向）へ移動可能なピストン９を備えた筒状のアキュームレータ本体１１をベースにしており、アキュームレータ本体１１におけるピストン９の上側には戻り回路７に接続した戻り油吸収用油圧室１３が設けてある。上記ピストン９は下方向へ延びたピストンロッド１５を備えており、アキュームレータ本体１１の中央部にはピストン９におけるピストンッロッド１５を上下方向へ移動可能に支持するガイドブロック１７が固定して設けてある。上記アキュームレータ本体１１内における上側にはピストン９の上方向の移動を規制するストッパ部１９が設けてあり、通常状態においてピストン９の一部（上側部）がこのストッパ部１９に当接するように、アキュームレータ本体１１内におけるガイドブロック１７の上側にはピストン９を上方向へ付勢可能なスプリング２１が設けてある。
【００１４】
上記アキュームレータ本体１１内におけるピストンロッド１５の下側（換言すればガイドブロック１７の下部側）には衝撃吸収用油圧室２３が設けてあり、この衝撃吸収用油圧室２３の上端部には環状のオリフィス部２５に設けてある。ここに、上記オリフィス部２５は、ピストン９が図１に示す通常状態からＬだけ下方向へ移動することにより閉鎖されるように構成されてあって、このＬの値はピストン９の下方向の移動速度を決定する要因であるため、所望の値に設定されている。
【００１５】
ガイドブロック１７にはオリフィス部２５に左端部（図１において左端部）を連通した連通ポート２７が設けてあり、この連通ポート２７の右端部と衝撃吸収用油圧室２３の下端部は連絡回路２９により連通してある。ここで、連絡回路２９は少くとも一部に伸縮可能なゴムホースを備えている。
【００１６】
次に、本実施例に係る発明について説明する。
【００１７】
ラム駆動用油圧シリンダ３を適宜に作動させると、ラム駆動用油圧シリンダ３のストロークに対応した圧力の戻り油が、ラム駆動用油圧シリンダ３から戻り回路７を通ってオイルタンク５内へ回収される。
【００１８】
上記作用の下で、戻り油が低圧及び高圧の場合にあっては、戻り油の一部が戻り油吸収用油圧室１３に流れ込んで、ピストン９がスプリング２７の付勢力に抗して微小量だけ下方向へ移動することにより、戻り油は減圧せしめられ、戻り回路７における戻り油の脈動を抑制できる。このとき、ピストン９におけるピストンロッド１５が衝撃吸収用油圧室２３の油を下方向へ押出すことができる一方、連絡ポート２７内の油の一部はオリフィス部２５から衝撃吸収用油圧室２３に噴射されることにより、衝撃吸収用油圧室２３においてオイルバランスを奏させて、ピストン１５の移動速度を遅くすることができる。換言すれば、スプリング２７の付勢力と油のダンピング作用を併用して、戻り回路７における戻り油の脈動を抑制できる。なお、戻り油吸収用油圧室１３に流れ込んだ戻り油は、ピストン９がスプリング２１の付勢力によって上方向へ移動して通常状態に復帰することにより、戻り油吸収用油圧室１３から戻り回路７を通ってオイルタンク５内へ回収される。また、ピストン９が微小量だけ下方向へ移動する際に生じる衝撃吸収用油圧室２３の容積変化は連絡回路２９の一部を構成するゴムホースの伸びによって吸収される。
【００１９】
また、戻り油がより高圧の場合にあっても、同様に、スプリング２７の付勢力と油のダンピング作用を併用して、ピストン９がスプリング２５の付勢力に抗して下方向へ移動することにより、戻り回路７における戻り油の脈動を抑制できる一方、ピストン９におけるピストンロッド１５がオリフィス部２５を閉鎖すると、ピストン９が下方向へ移動しなくなり、結果としてピストン９がスプリング２１の付勢力に抗して大きく下方向へ移動することはない。
【００２０】
以上のごとき本実施例に係るピストン型アキュームレータ１によれば、アキュームレータ本体内１１にガスを充填したガス室を設ける構成を採っていないため、メンテナンスを度々行う煩しさから解放され、一連のプレス加工の作業能率の向上を図ることができる。
【００２１】
また、戻り油が低圧であっても、または高圧であっても、スプリング２７の付勢力と油のダンピング作用を併用して、戻り回路７における戻り油の脈動を抑制することができる。
更に、戻り油が高圧であっても、ピストン９が大きく下方向へ移動することはないため、ピストン型アキュームレータ１自体に大きな衝撃を生じることなく、ピストン型アキュームレータ１の損傷を極力回避できる。
【００２２】
【発明の効果】
以上のごとき実施例の説明により理解されるように、請求項１〜請求項３のうちのいずれかの請求項に記載のピストン型アキュームレータによれば、アキュームレータ本体内にガスを充填したガス室を設ける構成を採っていないため、メンテナンスを度々行う煩しさから解放され、一連のプレス加工の作業能率を向上を図ることができる。
【００２３】
また、戻り油が低圧であっても、または高圧であっても、スプリングの付勢力と油のダンピング作用を併用して、戻り回路における戻り油の脈動を抑制することができる。
更に、ピストンが大きく他方向へ移動することはないため、ピストン型アキュームレータ自体に大きな衝撃を生じることなく、ピストン型アキュームレータの損傷を極力回避できる。
【図面の簡単な説明】
【図１】ピストン型アキュームレータを示す図である。
【符号の説明】
１  ピストン型アキュームレータ
３  ラム駆動用油圧シリンダ
５  オイルタンク
７  戻り回路
９  ピストン
１１  アキュームレータ
１３  戻り油吸収用油圧室
１５  ピストンロッド
１９  ストッパ部
２１  スプリング
２３  衝撃吸収用油圧室
２５  オリフィス部
２９  連絡回路
【図１】
0003612364.tif 000002